(57)【要約】 【課題】  黒板とスクリーンとを一緒に便利に使用しながら、スクリーンに投影するプロジェクターを便利な位置に設置してスクリーンに綺麗に画像を投影する。【解決手段】  黒板装置は、主黒板１と、この主黒板１の側部に配置されて主黒板１との間に収納隙間３を設けている補助黒板２と、収納隙間３に出し入れできるように収納される引出スクリーン組立４とを備える。引出スクリーン組立４は、収納隙間３から引き出しできるように主黒板１に連結してなる引出フレーム６と、この引出フレーム６の一方の側縁を中心として回動できるように引出フレーム６に連結してなる傾動フレーム８と、この傾動フレーム８の前面に配置してなるスクリーン９とを備える。この黒板装置は、引出スクリーン組立４を収納隙間３から引き出した状態で、傾動フレーム８を傾動させてスクリーン９を主黒板１に対して所定の角度に停止する。【選択図】  図３
2005035163.tif 000002
【特許請求の範囲】
【請求項１】
主黒板(1)と、この主黒板(1)の側部にあって、主黒板(1)を配置している面から前面に離して配置されて、主黒板(1)との間に収納隙間(3)を設けている補助黒板(2)と、収納隙間(3)に出し入れできるように収納され、かつ収納隙間(3)から主黒板(1)の前面に引き出しされ、かつ主黒板(1)の前から収納隙間(3)に収納される引出スクリーン組立(4)とを備え、
引出スクリーン組立(4)は、収納隙間(3)から引き出しできるように主黒板(1)に連結してなる引出フレーム(6)と、この引出フレーム(6)の一方の側縁を中心として回動できるように引出フレーム(6)に連結してなる傾動フレーム(8)と、この傾動フレーム(8)の前面に配置してなるスクリーン(9)とを備えており、
傾動フレーム(8)を引出フレーム(6)と平行な姿勢として引出スクリーン組立(4)を収納隙間(3)に収納し、引出スクリーン組立(4)を収納隙間(3)から引き出した状態で、傾動フレーム(8)を傾動させてスクリーン(9)を主黒板(1)に対して所定の角度に停止できるようにしてなる黒板装置。
【請求項２】
主黒板(1)と、この主黒板(1)の側部にあって、主黒板(1)を配置している面から前面に離して配置されて、主黒板(1)との間に収納隙間(3)を設けている補助黒板(2)と、収納隙間(3)に出し入れできるように収納され、かつ収納隙間(3)から主黒板(1)の前面に引き出しできるように引出レール(10)を介して主黒板(1)に連結してなる引出スクリーン組立(4)とを備え、
引出スクリーン組立(4)が、収納隙間(3)から引き出しできるように主黒板(1)に連結してなる引出フレーム(6)と、この引出フレーム(6)に対して上下に移動できるように連結している上下フレーム(7)と、この上下フレーム(7)の一方の側縁を中心として回動できるように上下フレーム(7)に連結してなる傾動フレーム(8)と、この傾動フレーム(8)の前面に配置してなるスクリーン(9)とを備えており、
傾動フレーム(8)を引出フレーム(6)に平行な姿勢として引出スクリーン組立(4)を収納隙間(3)に収納し、引出スクリーン組立(4)を収納隙間(3)から引き出した状態で、上下フレーム(7)を引出フレーム(6)から上昇させると共に、傾動フレーム(8)を傾動させてスクリーン(9)を主黒板(1)に対して所定の角度に停止できるようにしてなる黒板装置。
【請求項３】
主黒板(1)の上縁と下縁の一方または両方に引出レール(10)を固定し、この引出レール(10)に沿って移動する水平移動台(11)を引出フレーム(6)に固定し、水平移動台(11)と引出レール(10)を介して、引出フレーム(6)を収納隙間(3)から引き出しできるように主黒板(1)に連結してなる請求項１または２に記載される黒板装置。
【請求項４】
上下フレーム(7)が、垂直面内で回動される傾動アーム(12)を介して引出フレーム(6)に連結されて、上下に移動できるように引出フレーム(6)に連結してなる請求項２に記載される黒板装置。
【請求項５】
傾動フレーム(8)を、引出フレーム(6)又は上下フレーム(7)に蝶番(13)を介して連結してなる請求項１または２に記載される黒板装置。
【請求項６】
収納隙間(3)に、引出スクリーン組立(4)と引出黒板(5)とを前後に位置をずらせて出し入れできるように収納している請求項１または２に記載される黒板装置。
【発明の詳細な説明】
【技術分野】
【０００１】
本発明は、スクリーンを設けている黒板装置に関する。
【背景技術】
【０００２】
黒板にスクリーンを設けている黒板装置は開発されている（特許文献１参照）。この公報に記載される黒板装置を図１に示す。この黒板装置は、黒板２１の上部に巻上スクリーン２２と地図掛２３を設置している。巻上スクリーン２２を使用する場合あるいは地図掛２３を使用する場合は、黒板上下移動装置を下げることによって、巻上スクリーン２２を降ろすことも、地図を地図掛２３のＳカン２４に掛けることも、フック棒を用いることなく人間の手によって行うことが出来る。その後、黒板上下移動装置により、黒板２１を上へあげれば映写の画面も地図もよく見える。
【０００３】
以上の黒板装置は、スクリーンと黒板の両方を便利に使用できない。それは、スクリーンを引き下げて使用するときには、スクリーンが黒板の表面の特定の部分をカバーして見えなくするからである。黒板とスクリーンは一緒に使用して便利に使用できる。たとえば黒板に記述する事項の具体例や、詳しい説明等をスクリーンに投影して説明することがあるからである。
【０００４】
この欠点を解消するために、スクリーンを主黒板に対して左右に移動できる黒板装置が開発されている（特許文献２参照）。この公報に記載される黒板装置は、巻上スクリーンを主黒板に対してレールで左右に移動できるようにしている。このため、巻上スクリーンを左右に移動して、主黒板に対して相対的に移動できるようにしている。この構造は、スクリーンと主黒板の両方を一緒に使用するのに便利である。スクリーンが主黒板をカバーする部分を変更できるからである。
【０００５】
しかしながら、この構造の黒板装置は、使用しないときに巻上スクリーンを巻いて収納するので、年数が経過するにしたがって、開いたスクリーンの表面に凹凸ができやすく理想的な平面に保持するのが難しい欠点がある。とくに長時間巻いた状態で保管すると、所定の曲率でまがりくせが付いて、完全な平面に広げるのが難しくなる。この欠点は、図１に示す黒板装置においても同様である。
【０００６】
さらに、この欠点を解消するために、スクリーンを主黒板の背面に収納する黒板装置が開発されている（特許文献３参照）。この公報に記載される黒板装置は、黒板の両側に、左右に引出しできるようにスクリーンに使用できる拡張ボードを設けている。この構造によると、スクリーンを使用するときには、拡張ボードを主黒板から横に引き出して使用できる。また、スクリーンを使用しないときは、主黒板の裏面に押し込んで収納できる。
【０００７】
【特許文献１】特開２００２−２９３０９１号公報
【特許文献２】実開昭６１−２８５９２号公報
【特許文献３】特開２０００−２２５７９７号公報
【発明の開示】
【発明が解決しようとする課題】
【０００８】
しかしながら、前述した全ての黒板装置は、スクリーンに映像を投影するプロジェクターの位置を最適位置にできないという共通の欠点がある。たとえば、学校の教室で黒板とスクリーンを使用する場合、教卓にプロジェクターを置いてスクリーンに投影して便利に使用できる。図１に示すように、黒板の側部に設けたスクリーンには、教室の中央に設置される教卓のプロジェクターから綺麗に投影できない。黒板の側部にあるスクリーンに綺麗に投影するには、教卓をスクリーンの前方まで移動させる必要がある。このため、プロジェクターを使用する毎に教卓を移動する必要があって便利に使用できない欠点がある。
【０００９】
本発明は、さらにこの欠点を解決することを目的に開発されたものである。本発明の重要な目的は、黒板とスクリーンとを一緒に便利に使用しながら、スクリーンに投影するプロジェクターを便利な位置に設置してスクリーンに綺麗に画像を投影できる黒板装置を提供することにある。
また、本発明の他の大切な目的は、使用しないときに邪魔にならないことに加えて、長い間使用しないで収納しても、表面に凹凸ができることがなく、使用するときにスクリーンの表面を理想的な平面にでき、スクリーンの寿命を著しく長くできる黒板装置を提供することにある。
【課題を解決するための手段】
【００１０】
本発明の請求項１の黒板装置は、主黒板１と、この主黒板１の側部にあって、主黒板１を配置している面から前面に離して配置されて、主黒板１との間に収納隙間３を設けている補助黒板２と、収納隙間３に出し入れできるように収納され、かつ収納隙間３から主黒板１の前面に引き出しされ、かつ主黒板１の前から収納隙間３に収納される引出スクリーン組立４とを備える。引出スクリーン組立４は、収納隙間３から引き出しできるように主黒板１に連結してなる引出フレーム６と、この引出フレーム６の一方の側縁を中心として回動できるように引出フレーム６に連結してなる傾動フレーム８と、この傾動フレーム８の前面に配置してなるスクリーン９とを備える。この黒板装置は、傾動フレーム８を引出フレーム６と平行な姿勢として、引出スクリーン組立４を収納隙間３に収納し、引出スクリーン組立４を収納隙間３から引き出した状態で、傾動フレーム８を傾動させてスクリーン９を主黒板１に対して所定の角度に停止する。
【００１１】
さらに、本発明の請求項２の黒板装置は、主黒板１と、この主黒板１の側部にあって、主黒板１を配置している面から前面に離して配置されて、主黒板１との間に収納隙間３を設けている補助黒板２と、収納隙間３に出し入れできるように収納され、かつ収納隙間３から主黒板１の前面に引き出しできるように引出レール１０を介して主黒板１に連結してなる引出スクリーン組立４とを備える。引出スクリーン組立４は、収納隙間３から引き出しできるように主黒板１に連結してなる引出フレーム６と、この引出フレーム６に対して上下に移動できるように連結している上下フレーム７と、この上下フレーム７の一方の側縁を中心として回動できるように上下フレーム７に連結してなる傾動フレーム８と、この傾動フレーム８の前面に配置してなるスクリーン９とを備える。この黒板装置は、傾動フレーム８を引出フレーム６に平行な姿勢として、引出スクリーン組立４を収納隙間３に収納し、引出スクリーン組立４を収納隙間３から引き出した状態で、上下フレーム７を引出フレーム６から上昇させると共に、傾動フレーム８を傾動させてスクリーン９を主黒板１に対して所定の角度に停止する。
【００１２】
さらに、本発明の請求項３の黒板装置は、主黒板１の上縁と下縁の一方または両方に引出レール１０を固定し、この引出レール１０に沿って移動する水平移動台１１を引出フレーム６に固定し、水平移動台１１と引出レール１０を介して、引出フレーム６を収納隙間３から引き出しできるように主黒板１に連結している。
【００１３】
さらに、本発明の請求項４の黒板装置は、請求項２に記載される黒板装置であって、垂直面内で回動される傾動アーム１２を介して、上下フレーム７を上下に移動できるように引出フレーム６に連結している。
【００１４】
さらに、本発明の請求項５の黒板装置は、傾動フレーム８を、引出フレーム６または上下フレーム７に蝶番１３を介して連結している。さらにまた、本発明の請求項６の黒板装置は、収納隙間３に、引出スクリーン組立４と引出黒板５とを前後に位置をずらせて出し入れできるように収納している。
【発明の効果】
【００１５】
以上の構成によって、本発明の黒板装置は、黒板とスクリーンとを一緒に便利に使用しながら、スクリーンに投影するプロジェクターを便利な位置に設置してスクリーンに綺麗に画像を投影できる。本発明の黒板装置は、主黒板の側部に収納隙間を設けて、この収納隙間に引出スクリーン組立を出し入れできるように配設している。引出スクリーン組立は、一方の側縁を中心として回動できるように傾動フレームを連結しており、傾動フレームを傾動させてスクリーンを主黒板に対して所定の角度に停止できるようにしている。このように、主黒板に対して傾動する傾動フレームは、前面のスクリーンを主黒板に対して傾斜する姿勢で配置できる。したがって、図３に示すように、黒板の側部にスクリーン９を配置した状態において、教卓１４をスクリーン９の前方まで移動させることなく、教室の中央に設置される教卓１４のプロジェクター１５から投影できる。このため、プロジェクターを使用する毎に教卓を移動する必要がなく、極めて便利に使用できる。とくに、本発明の黒板装置は、収納隙間の前面を補助黒板としているので、黒板として使用できる面積をより広くして、黒板とスクリーンとを一緒に便利に使用できる。
【００１６】
さらに、本発明の黒板装置は、従来のように巻上スクリーンとすることなく、傾動フレームの前面にスクリーンを配置しているので、長い間使用しないで収納しても表面に凹凸ができることがなく、使用するときにスクリーンの表面を理想的な平面にでき、スクリーンの寿命を著しく長くできる。しかも、本発明の黒板装置は、スクリーンを使用しないときには、引出スクリーン組立を主黒板の前から収納隙間に収納できるので、使用しないときに平面状のスクリーンが邪魔になることもない。
【００１７】
さらに、本発明の請求項２の黒板装置は、収納隙間から引き出しされる引出フレームに対して上下に移動できるように上下フレームを連結して、この上下フレームの一方の側縁を中心として回動できるように傾動フレームを連結している。このように、上下フレームを介して傾動フレームを引出フレームよりも上方に移動できる黒板装置は、スクリーンの位置を主黒板よりも上方位置として、遠くからよく見えるように配置できる特長がある。
【発明を実施するための最良の形態】
【００１８】
以下、本発明の実施例を図面に基づいて説明する。ただし、以下に示す実施例は、本発明の技術思想を具体化するための黒板装置を例示するものであって、本発明は黒板装置を下記のものに特定しない。
【００１９】
さらに、この明細書は、特許請求の範囲を理解し易いように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２０】
図２の正面図と図３の水平断面図と図４の垂直断面図に示す黒板装置は、学校の教室に設置されるもので、教室の壁面に固定される主黒板１と、この主黒板１の側部にあって、主黒板１を配置している面から前面に離して配置されて、主黒板１との間に収納隙間３を設けている補助黒板２と、収納隙間３に出し入れできるように収納され、かつ収納隙間３から主黒板１の前面に引出しされ、かつ主黒板１の前から収納隙間３に収納される引出スクリーン組立４とを備える。
【００２１】
主黒板１と補助黒板２は、チョークで文字や図形を書くことができるもの、あるいは消すことができるインクで文字や図形を書くことができる白板のいずれかである。主黒板１は横に細長い長方形である。補助黒板２は、横幅を主黒板１の横幅の１／２〜１／５とし、上下幅を主黒板１とほぼ同じとしている。補助黒板２は、主黒板１から前方に離して主黒板１の前面に固定される。
【００２２】
図の黒板装置は、主黒板１の右側にのみ補助黒板２を設けているが、本発明の黒板装置は、主黒板の左側にのみ補助黒板を設け、あるいは主黒板の両側に補助黒板を設けることもできる。さらに、図の黒板装置は、図３の水平断面図に示すように、主黒板１の端部をわずかに湾曲させている。この主黒板１は、右側から見やすくできることに加えて、主黒板１に対する引出スクリーン組立４の傾動フレーム８の傾動角（θ1）を小さくして、主黒板１の中央部分に対する傾動角（θ）を大きくできる。
【００２３】
図の補助黒板２の背面に設けている収納隙間３には、引出スクリーン組立４と引出黒板５を収納している。したがって、収納隙間３は、引出スクリーン組立４と引出黒板５を前後に位置をずらせて収納できる深さとしている。収納隙間３に、引出スクリーン組立４と引出黒板５を収納している黒板装置は、引出スクリーン組立４を収納隙間３から引き出してスクリーンとして使用し、また、引出黒板５を収納隙間３から引き出して黒板として使用できるので、スクリーンと黒板の両方に使用でき、さらに、スクリーンと黒板とを主黒板１の自由な位置に移動できるので、スクリーンと黒板の両方を便利に使用できる。なお、引出黒板５については、説明は省略するが、後述する引出スクリーン組立４と同様の構造として、収納隙間３に出し入れできる。
【００２４】
引出スクリーン組立４の斜視図を図５に示す。ただし、この図は、引出スクリーン組立４の構造と使用状態をわかりやすくするために、使用状態における引出スクリーン組立４を背面から見た状態を示している。この図の引出スクリーン組立４は、収納隙間３から引き出しできるように主黒板１に連結している引出フレーム６と、この引出フレーム６に対して上下に移動できるように連結している上下フレーム７と、この上下フレーム７の一方の側縁を中心として回動できるように上下フレーム７に連結している傾動フレーム８と、この傾動フレーム８の前面に配置してなるスクリーン９とを備える。
【００２５】
この図に示す黒板装置の引出スクリーン組立４は、傾動フレーム８を上下フレーム７に連結し、この上下フレーム７を引出フレーム６に連結している。すなわち、引出スクリーン組立４は、傾動フレーム８を上下フレーム７を介して引出フレーム６に連結している。ただ、本発明の黒板装置の引出スクリーン組立は、上下フレームを介することなく、傾動フレームを引出フレームに連結することもできる。
【００２６】
引出フレーム６は、引出レール１０と水平移動台１１を介して、収納隙間３から主黒板１の前に引き出しでき、また主黒板１の前から収納隙間３に収納できるように、主黒板１に連結している。図の主黒板１は、上縁と下縁に引出レール１０を固定している。この黒板装置は、引出フレーム６が倒れないようにしっかりとした構造で、主黒板１の前面に左右に移動できるように配置できる。ただし、本発明の黒板装置は、主黒板の上縁にのみ引出フレームを固定し、あるいは主黒板の下縁にのみ引出レールを固定して、引出フレームを主黒板に倒れないように連結することもできる。
【００２７】
主黒板１の下縁に固定される引出レール１０は、水平移動台１１のスライド部１１Ａを摺動できるように案内しているガイド溝１０Ａを有する。ガイド溝１０Ａは、前面の上方と背面と上下を閉鎖する構造であって、前面の下縁に沿って幅の狭いスリット開口１０Ｂを設けている。水平移動台１１は、このスリット開口１０Ｂからガイド溝１０Ａに案内されるスライド部１１Ａと、このスライド部１１Ａに連結してなる固定部１１Ｂとを有する。水平移動台１１の固定部１１Ｂは、引出フレーム６の下端部に固定されており、スライド部１１Ａをガイド溝１０Ａに案内して、引出フレーム６を引出レール１０に沿って移動させる。
【００２８】
主黒板１の上縁に固定される引出レール１０は、下方に開口されるスリット開口１０Ｂを有する。水平移動台１１は、このスリット開口１０Ｂに案内されるスライド部１１Ａと、このスライド部１１Ａに連結している固定部１１Ｂとを有する。図に示すスライド部１０Ａは、固定部１１Ｂに対して回転できるように連結されたローラーで、ガイドレールであるガイド溝１０Ａに沿って転動しながら移動できるようにしている。この構造は、水平移動台１１を引出レール１０に吊り下げる状態として、スライド部１１Ａとガイド溝１０Ａとの摩擦抵抗を小さくしながら、いいかえると、水平移動台１１を軽く移動できる特長がある。ただ、スライド部は、ガイド溝に沿って摺動する部材とすることもできる。水平移動台１１の固定部１１Ｂは、引出フレーム６の上部に固定され、スライド部１１Ａをガイド溝１０Ａに案内して、水平移動台１１を引出レール１０に沿って移動させる。
【００２９】
主黒板の上縁にのみ引出レールを固定し、この引出レールで主黒板に引出フレームを連結する黒板装置は、引出フレームの上部に水平移動台を固定し、この水平移動台を引出レールに吊り下げる状態で、引出レールに沿って移動できる構造とする。また、主黒板の下縁にのみ引出レールを固定し、この引出レールで主黒板に引出フレームを連結する黒板装置は、引出フレームの下部に水平移動台を固定し、この水平移動台を引出レールに対して倒れない構造で、引出レールに沿って移動できる構造とする。
【００３０】
上下フレーム７は、図５の斜視図に示すように、垂直面内で回動される傾動アーム１２を介して引出フレーム６に連結される。図の上下フレーム７は、片側に２本、全体で４本の傾動フレーム８を、引出フレーム６の側面に互いに平行運動できるように連結し、この傾動フレーム８を上下フレーム７の内面に連結している。傾動アーム１２は、上下フレーム７を引出フレーム６に対して平行移動させて、上昇位置に移動できるように連結している。上下フレーム７を上昇位置に移動できる引出スクリーン組立４は、スクリーン９の位置を上昇位置として、映像を後方の人にも見えやすくできる特長がある。上下フレーム７は、縦枠の内幅を、引出フレーム６の外幅よりも広くしている。この上下フレーム７は、降下する姿勢で、引出フレーム６の外側に配設される。したがって、上下フレーム７を降下させる状態で、上下フレーム７と引出フレーム６とを重ねて薄くできる。
【００３１】
傾動アーム１２は、上下フレーム７を所定の上昇位置で停止させるためのストッパを設けることができる。このストッパは、図示しないが、傾動アームを係止構造で所定の位置に停止させることができる。さらに、引出スクリーン組立は、上下フレームを吊り上げる弾性体を配設して上下フレームを所定の上昇位置で停止させることもできる。この引出スクリーン組立は、弾性体で上下フレームを引き上げ方向に付勢すると共に、傾動アームを摩擦抵抗で所定の角度に停止させて上下フレームを所定の上昇位置で停止させることができる。
【００３２】
傾動フレーム８は、蝶番１３を介して上下フレーム７に連結される。蝶番１３は、傾動フレーム８の片側に固定されて、傾動フレーム８を水平面内で傾動させる。図３の傾動フレーム８は、引出スクリーン組立４を収納隙間３から引き出して、収納隙間３の反対側に移動させる状態で、主黒板１の中央に近い側の側縁に蝶番１３を固定している。この黒板装置は、図３に示すように、引出スクリーン組立４を収納隙間３から引き出して状態で、スクリーン９の前面を主黒板１の中心方向に向けることができる。ただし、本発明は、傾動フレーム８に蝶番１３を固定する側を図３に示す側に特定しない。蝶番１３を反対側に固定して、傾動フレーム８を鎖線で示すように、収納隙間３側の前面で傾動させて、スクリーン９の前面を主黒板１の中心側に向けて使用できるからである。
【００３３】
図５の引出スクリーン組立４は、傾動フレーム８を上下フレーム７に連結しているので、蝶番１３は傾動フレーム８を上下フレーム７に連結している。引出スクリーン組立は必ずしも上下フレームを設ける必要はないので、上下フレームのない引出スクリーン組立は、傾動フレームを引出フレームに蝶番を介して傾動できるように連結する。
【００３４】
傾動フレーム８は、前面にスクリーン９を固定している。スクリーン９の前面を主黒板１の中央の方向に向けることができるように、傾動フレーム８の最大傾斜角は、１５〜３０度とする。ただし、傾動フレーム８の最大傾斜角は、好ましくは１０〜４５度とすることもできる。傾動フレーム８は、所定の傾斜角で停止させるためのストッパを設けることができる。ストッパは、図示しないが、傾動フレーム８に連結したロッドと、このロッドを挿通する連結筒を有し、かつ連結筒に半径方向にねじ込まれる止ネジとで構成することができる。このストッパは、止ネジを緩めて傾動フレーム８を所定の角度に傾動した後、止ネジをねじ込んでロッドを固定して、傾動フレーム８を傾動しないように停止させる。ただし、黒板装置は、傾動フレーム８にストッパを設けることなく、蝶番１３の摩擦抵抗で傾動フレーム８を所定の角度に停止することもできる。
【００３５】
以上の黒板装置は、傾動フレーム８を引出フレーム６と平行な姿勢として、引出スクリーン組立４を収納隙間３に収納し、引出フレーム６を収納隙間３から引き出した状態で、傾動フレーム８を傾動させてスクリーン９を主黒板１に対して所定の角度に停止して、スクリーン９を使用する。
【図面の簡単な説明】
【００３６】
【図１】従来の黒板装置の一例を示す正面図である。
【図２】本発明の一実施例にかかる黒板装置の正面図である。
【図３】本発明の一実施例にかかる黒板装置の水平断面図である。
【図４】本発明の一実施例にかかる黒板装置の垂直断面図である。
【図５】引出スクリーン組立の使用状態を示す背面斜視図である。
【符号の説明】
【００３７】
１…主黒板
２…補助黒板
３…収納隙間
４…引出スクリーン組立
５…引出黒板
６…引出フレーム
７…上下フレーム
８…傾動フレーム
９…スクリーン
１０…引出レール        １０Ａ…ガイド溝        １０Ｂ…スリット開口
１１…水平移動台        １１Ａ…スライド部      １１Ｂ…固定部
１２…傾動アーム
１３…蝶番
１４…教卓
１５…プロジュクター
２１…黒板
２２…巻上スクリーン
２３…地図掛
２４…Ｓカン
【図１】
2005035163.tif 000003
【図２】
2005035163.tif 000004
【図３】
2005035163.tif 000005
【図４】
2005035163.tif 000006
【図５】
2005035163.tif 000007